(57)【要約】【課題】  リレーを用いた過電圧保護回路を有する電源装置において、リレーの接点の溶着を回避する。【解決手段】  電源装置１は、電力回路１０、制御ＩＣ３０、およびバッテリ１０２と電力回路１０との間に設けられたリレー１１１を備える。電力回路１０は、トランジスタＭ１、Ｍ２を備え、制御ＩＣ３０により生成される制御信号に従って負荷２００が要求する電圧を生成する。制御ＩＣ３０は、通常時は、負荷２００が要求する電圧に応じて電力回路１０の出力を制御する。入力電圧Ｖinが閾値を越えると、トランジスタＭ１、Ｍ２をオフ状態に制御して電流を減少させた後、リレーをオフする。入力電圧Ｖinがさらに上昇すると、その入力電圧Ｖinが予め決められているクランプ電圧に一致するようにトランジスタＭ１、Ｍ２を制御する。【選択図】      図１
2006325286.tif 000002
【特許請求の範囲】
【請求項１】
スイッチング素子を利用して電流を制御することによって出力電圧を生成する電力回路と、
入力電源と上記電力回路との間に設けられるリレーと、
上記電力回路の入力電圧と予め決められている閾値とを比較する比較回路と、
上記入力電圧が第１の閾値以下であれば、上記電力回路が出力電圧を生成するように上記スイッチング素子を制御し、上記入力電圧が上記第１の閾値を超えると、上記スイッチング素子をオフ状態に制御し、上記入力電圧が上記第１の閾値よりも高い第２の閾値を超えると、上記リレーをオフ状態に制御する制御手段、
を有する過電圧保護機能付き電源装置。
【請求項２】
上記制御手段は、上記入力電圧が上記第２の閾値よりも高い第３の閾値を超えると、その入力電圧が予め決められているクランプ電圧またはそれよりも低い電圧に一致するように上記スイッチング素子を制御するように切り替える
ことを特徴とする請求項１に記載の過電圧保護機能付き電源装置。
【請求項３】
上記制御手段は、上記入力電圧が上記第２の閾値を超えてから所定の時間内に上記第３の閾値を超えると、その入力電圧が予め決められているクランプ電圧またはそれよりも低い電圧に一致するように上記スイッチング素子を制御するように切り替える
ことを特徴とする請求項１に記載の過電圧保護機能付き電源装置。
【請求項４】
スイッチング素子を利用して電流を制御することによって出力電圧を制御する電源装置において使用される過電圧保護回路であって、
入力電圧と予め決められている閾値とを比較する比較回路と、
上記入力電圧が第１の閾値を超えると、上記スイッチング素子をオフ状態に制御し、上記入力電圧が上記第１の閾値よりも高い第２の閾値を超えると、入力電源と上記電源装置との間に設けられているリレーをオフ状態に制御する制御手段、
を有する過電圧保護回路。
【請求項５】
上記制御手段は、上記入力電圧が上記第２の閾値よりも高い第３の閾値を超えると、その入力電圧が予め決められているクランプ電圧またはそれよりも低い電圧に一致するように上記スイッチング素子を制御するように切り替える
ことを特徴とする請求項４に記載の過電圧保護回路。
【請求項６】
上記制御手段は、上記入力電圧が上記第２の閾値を超えてから所定の時間内に上記第３の閾値を超えると、その入力電圧が予め決められているクランプ電圧またはそれよりも低い電圧に一致するように上記スイッチング素子を制御するように切り替える
ことを特徴とする請求項４に記載の過電圧保護回路。
【発明の詳細な説明】
【技術分野】
【０００１】
本発明は、過電圧から回路素子を保護するための過電圧保護機能を有する電源装置および過電圧保護回路に係わる。
【背景技術】
【０００２】
過電圧から回路素子を保護するための方策の１つとして、従来より、リレーを利用する構成が知られている。以下、図４を参照しながら、リレーを利用した従来技術に係る過電圧保護機能について説明する。
【０００３】
図４に示す電源装置１において、入力端子１０１には、バッテリ１０２が接続されている。また、入力端子１０１は、電力線１０３を介してトランスＴの一次側コイルの中点に接続されている。なお、電力線１０３には、入力コンデンサＣ１が接続されている。
【０００４】
トランスＴの一次側コイルには、トランジスタＭ１、Ｍ２が接続されている。トランジスタＭ１、Ｍ２は、制御ＩＣ１０４が生成する１組の制御信号によって制御される。トランスＴの二次側には、トランスＴの出力を整流するためのダイオードＤ１、Ｄ２、および出力電圧を平滑化する出力コンデンサＣ２が設けられている。
【０００５】
上記構成の電源装置１００において、電力線１０３には、リレー１１１が設けられている。また、制御ＩＣ１０４は、入力電圧Ｖin（抵抗Ｒ１、Ｒ２から構成される入力電圧検出回路１１２により得られる検出電圧Ｖh ）と閾値電圧（電圧Ｖ１）とを比較するコンパレータ１１３を備える。さらに、リレー１１１の励磁用コイルには、コンパレータ１１３の出力により制御されるトランジスタＭ３が接続されている。なお、リレー１１１とトランジスタＭ３との間には抵抗Ｒ３が設けられており、トランジスタＭ３のゲートは抵抗Ｒ４により接地されている。
【０００６】
そして、入力電圧Ｖinが閾値電圧を超えると、トランジスタＭ３がオフ状態に制御されて、リレー１１１の接点がオフ（解放）される。これにより、バッテリ１０２からの入力が遮断され、電源装置１００を構成する回路素子（トランジスタＭ１、Ｍ２、制御ＩＣ１０４、入力コンデンサＣ１等）は、過電圧から保護される。なお、リレーを利用して回路素子を過電圧から保護する構成は、例えば、特許文献１に記載されている。
【特許文献１】特開平５−２６０５３７号公報（図１、明細書の段落００１０〜００１６）
【発明の開示】
【発明が解決しようとする課題】
【０００７】
図４に示す電源装置１００において、リレー１１１をオフするための信号が生成されてからそのリレー１１１が実際にオフ状態になるまでに遅れ時間が必然的に発生する。このため、入力電圧Ｖinが急激に増加すると、リレー１１１が実際にオフ状態になるまでの間に電源装置１００を構成する回路素子に印加される電圧が上昇してゆくことになる。したがって、これらの回路素子は、上述の電圧上昇を見込んで耐圧を決定する必要があった。
【０００８】
また、上述の構成では、リレー１１１に大きな電流が流れている状態でそのリレー１１１をオフすることになるので、接点が溶着してしまうおそれがある。
本発明の目的は、リレーを用いた過電圧保護回路を有する電源装置において、リレーの接点の溶着を回避すること、および耐圧の低い回路素子を使用できるようにすることである。
【課題を解決するための手段】
【０００９】
本発明の過電圧保護機能付き電源装置は、電力回路、リレー、比較回路、制御手段を備える。電力回路は、スイッチング素子を利用して電流を制御することによって出力電圧を生成する。リレーは、入力電源と上記電力回路との間に設けられる。比較回路は、上記電力回路の入力電圧と予め決められている閾値とを比較する。制御手段は、上記入力電圧が第１の閾値以下であれば、上記電力回路が出力電圧を生成するように上記スイッチング素子を制御し、上記入力電圧が上記第１の閾値を超えると、上記スイッチング素子をオフ状態に制御し、上記入力電圧が上記第１の閾値よりも高い第２の閾値を超えると、上記リレーをオフ状態に制御する。
【００１０】
上記構成の電源装置において、入力電圧が上昇して第１の閾値を超えると、スイッチング素子がオフ状態に制御され、電力回路を介して流れる電流が減少する。入力電圧がさらに上昇して第２の閾値を超えると、リレーがオフ状態に制御され、入力電源と電力回路との間が遮断されて、過電圧から回路素子が保護される。このように、リレーをオフする前にスイッチング素子をオフ状態に制御するので、リレー接点が解放される時点では、そのリレーを介して流れる電流が十分に小さくなっている。
【００１１】
上記過電圧保護機能付き電源装置において、上記制御手段は、上記入力電圧が上記第２の閾値よりも高い第３の閾値を超えたときに、その入力電圧が予め決められているクランプ電圧またはそれよりも低い電圧に一致するように上記スイッチング素子を制御するように切り替えてもよい。
【００１２】
入力電圧の上昇が急激であったときは、リレーの動作遅延時間内にその電圧がさらに上昇してしまう。しかし、入力電圧が第３の閾値を超えると、所定のクランプ電圧またはそれよりも低い電圧にクランプされる。
【００１３】
本発明の過電圧保護回路は、スイッチング素子を利用して電流を制御することによって出力電圧を制御する電源装置において使用され、比較回路および制御手段を有する。比較回路は、入力電圧と予め決められている閾値とを比較する。制御手段は、上記入力電圧が第１の閾値を超えると、上記スイッチング素子をオフ状態に制御し、上記入力電圧が上記第１の閾値よりも高い第２の閾値を超えると、入力電源と上記電源装置との間に設けられているリレーをオフ状態に制御する。また、上記制御手段は、上記入力電圧が上記第２の閾値よりも高い第３の閾値を超えたときに、その入力電圧が予め決められているクランプ電圧またはそれよりも低い電圧に一致するように上記スイッチング素子を制御するように切り替えてもよい。なお、これらの過電圧保護回路の作用は、上述した通りである。
【００１４】
上記過電圧保護機能付き電源装置または過電圧保護回路において、上記制御手段は、上記入力電圧が上記第２の閾値を超えてから所定の時間内に上記第３の閾値を超えると、その入力電圧が予め決められているクランプ電圧またはそれよりも低い電圧に一致するように上記スイッチング素子を制御するように切り替えてもよい。この構成によれば、入力電圧が急激に上昇して過電圧に達したときに、所定のクランプ電圧またはそれよりも低い電圧にクランプされる。
【発明の効果】
【００１５】
本発明によれば、過電圧保護のためにリレーをオフする前にそのリレーを介して流れる電流が十分に減少しているので、リレー接点が解放される際に溶着することはない。
また、リレーの動作遅延時間内に入力電圧がさらに上昇した場合には、その電圧が所定値にクランプされるので、電源装置を構成する回路素子の耐圧を低くすることができる。
【発明を実施するための最良の形態】
【００１６】
図１は、本発明に係る過電圧保護機能付き電源装置の構成を示す図である。ここで、図１に示す電源装置１は、ＤＣ／ＤＣコンバータであり、その入力端子１０１に入力電源としてのバッテリ１０２が接続されている。また、電源装置１は、電力回路１０、入力電圧検出回路２０、制御ＩＣ３０、リレー１１１等を備える。なお、図１に示す電源装置１の基本構成は、図４に示した電源装置１００と同じであるが、本発明の特徴的機能を提供する制御ＩＣ３０は、図４に示す制御ＩＣ１０４と異なっている。
【００１７】
電力回路１０は、入力コンデンサＣ１、トランスＴ、スイッチング素子としてのトランジスタＭ１、Ｍ２、ダイオードＤ１、Ｄ２、出力コンデンサＣ２を含んで構成される。ここで、入力端子１０１は、リレー１１１および電力線１０３を介してトランスＴの一次側コイルの中点に接続されている。また、トランスＴの一次側コイルの一方の端部は、トランジスタＭ１のドレインに接続されており、トランスＴの一次側コイルの他方の端部は、トランジスタＭ２のドレインに接続されている。さらに、トランジスタＭ１、Ｍ２のソースは、接地（あるいは、バッテリ１０２の負極に接続）されている。そして、トランジスタＭ１、Ｍ２のゲートには、それぞれ制御ＩＣ３０が生成する制御信号cont１、cont２が与えられる。
【００１８】
入力電圧検出回路２０は、入力電圧Ｖinを分圧するための抵抗Ｒ１、Ｒ２から構成される。そして、入力電圧Ｖinを分圧することにより得られる検出電圧Ｖh は、制御ＩＣ３０のＶＨ端子に与えられる。入力電圧Ｖinと検出電圧Ｖh との関係は、下記の（１）式により表される。
Ｖin＝Ｖh×｛（Ｒ１＋Ｒ２）／Ｒ２｝・・・（１）
制御ＩＣ３０は、後述する比較回路３１および制御回路４０を含んで構成され、制御信号cont１、制御信号cont２、リレー制御信号Recontを生成する。制御信号cont１および制御信号cont２は、それぞれ、出力端子OUT１および出力端子OUT２を介して出力され、電力回路１０のトランジスタＭ１およびトランジスタＭ２のゲートに与えられる。また、リレー制御信号Recontは、出力端子Relay_outを介して出力され、トランジスタＭ３のゲートに与えられる。
【００１９】
リレー１１１は、バッテリ１０２と電力回路１０との間に設けられ、トランジスタＭ３の状態に従ってオン（導通状態）またはオフ（遮断状態）に制御される。なお、リレー１１１とトランジスタＭ３との間には抵抗Ｒ３が設けられており、トランジスタＭ３のゲートは抵抗Ｒ４により接地されている。
【００２０】
図２は、制御ＩＣ３０の中に設けられる比較回路３１の実施例である。比較回路３１は、コンパレータ３２〜３４を含んで構成されている。各コンパレータ３２〜３４の正側入力端子は、制御ＩＣ３０のＶＨ端子に接続されており、入力電圧Ｖinを分圧することにより得られる検出電圧Ｖh が与えられる。また、各コンパレータ３２、３３、３４の負側入力端子には、それぞれ、参照電圧Ｖ１１、Ｖ２２、Ｖ３３が与えられる。ここで、これらの参照電圧は、「Ｖ１１＜Ｖ２２＜Ｖ３３」を満たすように設定される。また、参照電圧Ｖ３３として、トランジスタＭ１、Ｍ２、制御ＩＣ３０、入力コンデンサＣ１の耐圧よりも低い値を設定すれば、過電圧から各回路素子を保護することができる。
【００２１】
コンパレータ３２、３３、３４は、検出電圧Ｖh と対応する参照電圧Ｖ１１、Ｖ２２、Ｖ３３とを比較し、比較結果として、それぞれ第１の過電圧判定信号comp_OUT11、第２の過電圧判定信号comp_OUT22、第３の過電圧判定信号comp_OUT33を出力する。ここで、第１〜第３の過電圧判定信号は、検出電圧Ｖh が対応する参照電圧以下であれば、入力電圧Ｖinが過電圧でないことを表す「Ｌ」となり、検出電圧Ｖh が対応する参照電圧を越えると、入力電圧Ｖinが過電圧であることを表す「Ｈ」となる。すなわち、比較回路３１は、過電圧のレベルを３段階に分けてモニタする。ここで、上述した関係式（１）を考慮すると、入力電圧Ｖinが過電圧であるか否かを判断するための３つの閾値は、下記の通りである。
第１の閾値：Ｖ１１×｛（Ｒ１＋Ｒ２）／Ｒ２｝
第２の閾値：Ｖ２２×｛（Ｒ１＋Ｒ２）／Ｒ２｝
第３の閾値：Ｖ３３×｛（Ｒ１＋Ｒ２）／Ｒ２｝
上記構成の電源装置１において、通常時（入力電圧Ｖinが第１の閾値以下であるとき）は、制御ＩＣ３０は、制御信号cont１、cont２を用いて電力回路１０の出力電圧を所望の値（ここでは、負荷２００が要求する電圧）に保持する。このとき、電力回路１０のトランジスタＭ１、Ｍ２は、制御信号cont１、cont２に従って交互にオン／オフ制御される。これにより、トランスＴの一次側コイルには、制御信号cont１、cont２に対応する電流が流れることになる。そうすると、トランスＴの一次側から二次側に電力が伝達される。そして、トランスＴの出力は、ダイオードＤ１、Ｄ２により整流され、さらに出力コンデンサＣ２により平滑化されて負荷２００に供給される。このように、電源装置１は、トランジスタＭ１、Ｍ２を利用してその入力側の電流を制御することによって対応する出力電圧を生成する。
【００２２】
過電圧発生時の動作は、以下の通りである。すなわち、入力電圧Ｖinが第１の閾値を越えると、制御ＩＣ３０は、制御信号cont１、cont２を用いてトランジスタＭ１、Ｍ２をオフ状態に制御する。これにより、トランスＴの一次側の電流が大幅に減少し、これに伴って、リレー１１１を介して流れる電流も減少する。
【００２３】
続いて、入力電圧Ｖinが第２の閾値を越えると、図２に示すコンパレータ３３から出力される信号comp_OUT22が「Ｌ」から「Ｈ」に変化する。この信号comp_OUT22は、出力端子Relay_outを介して出力され、リレー制御信号RecontとしてトランジスタＭ３のゲートに与えられる。そうすると、トランジスタＭ３がオフ状態となり、リレー１１１はオフ状態になる。この結果、電源装置１からバッテリ１０２が切断されるので、電源装置１を構成する回路素子（トランジスタＭ１、Ｍ２、制御ＩＣ３０、入力コンデンサＣ１）は過電圧から保護される。また、この時点で、リレー１１１を介して流れる電流は、トランジスタＭ１、Ｍ２をオフ状態に制御することによって大幅に減少しているので、その接点が溶着することは回避される。
【００２４】
このように、入力電圧Ｖinが上昇すると、リレー１１１がオフ状態となり、過電圧が回避される。しかし、例えば、バッテリ１０２の出力電圧が急激に上昇した場合等においては、入力電圧Ｖinが第２の閾値を越えてからリレー１１１が実際にオフ状態になるまでの期間に、入力電圧Ｖinがさらに上昇してしまうことになる。そして、入力電圧Ｖinが第２の閾値を超えてから所定の時間（例えば、１〜５秒程度に設定されていることが好ましい）内に上記第３の閾値を超えると、制御ＩＣ３０は、その入力電圧Ｖinが予め決められているクランプ電圧（またはそれよりも低い電圧）に一致するようにトランジスタＭ１、Ｍ２を制御する。ここで、クランプ電圧は、トランジスタＭ１、Ｍ２、制御ＩＣ３０、入力コンデンサＣ１の耐圧よりも低く設定されている。すなわち、この場合、入力電圧Ｖinが所定の値にクランプされ、電源装置１を構成する回路素子が過電圧から保護される。
【００２５】
したがって、電源装置１を構成する回路素子の耐圧を必要以上に高くする必要がない。この結果、電源装置１を構成する回路素子として安価な部品を使用できるので、電源装置全体として低コスト化が図れる。
【００２６】
図３は、制御ＩＣ３０の中に設けられる制御回路（制御手段）４０の実施例である。なお、図３は、制御信号cont１を生成するための制御回路について説明するが、制御信号cont１を生成するための制御回路および制御信号cont２を生成するための制御回路は、基本的に、互いに同じ構成である。よって、制御信号cont２を生成するための制御回路についての説明は省略する。
【００２７】
制御信号cont３は、例えば、所定の周期のＰＷＭ信号であり、各ＯＲゲート４１、４２の一方の入力端子に与えられる。なお、制御信号cont３は、例えば、電力回路１０の出力電圧に基づいて公知の技術により生成されるものとする。各ＯＲゲート４１、４２の他方の入力端子には、第１の過電圧判定信号comp_OUT11が与えられる。ＯＲゲート回路４１の出力は、バッファ４３を介してトランジスタＭ４のゲートに与えられる。
【００２８】
ＯＲゲート４２の出力は、ＡＮＤゲート４４の一方の入力端子に与えられる。また、ＡＮＤゲート４４に他方の入力端子には、反転回路４５によって論理が反転させられた第３の過電圧判定信号comp_OUT33が与えられる。そして、ＡＮＤゲート４４の出力は、バッファ４６を介してトランジスタＭ５のゲートに与えられる。
【００２９】
トランジスタＭ４、Ｍ５は、それぞれ、ｐＭＯＳトランジスタおよびｎＭＯＳトランジスタであり、互いに直列的に接続されている。そして、トランジスタＭ４、Ｍ５の接続点は、信号線４７を介して図１に示した出力端子OUT１に接続されている。
【００３０】
アンプ４８は、第３の過電圧判定信号comp_OUT33が「Ｈ」であるときに動作し、その第３の過電圧判定信号comp_OUT33が「Ｌ」であればその動作を停止する。また、アンプ４８の非反転入力端子には、固定的に与えられる電圧Ｖk （たとえば、３Ｖ）が与えられ、その反転入力端子には、検出電圧Ｖh が与えられる。そして、アンプ４８の出力は、信号線４７を介して出力端子OUT１に接続されている。なお、信号線４７は、抵抗Ｒ５を介して接地されている。
【００３１】
上記構成の制御回路４０において、入力電圧Ｖinが上述の第１の閾値以下であれば、第１の過電圧判定信号comp_OUT11が「Ｌ」となるので、制御信号cont３は、ＯＲゲート４１、４２を通過する。また、この場合、第３の過電圧判定信号comp_OUT33も「Ｌ」となるので、ＯＲゲート４２の出力はＡＮＤゲート４４を通過する。すなわち、制御信号cont３は、トランジスタＭ４、Ｍ５のゲートに与えられる。これにより、トランジスタＭ４、Ｍ５は、交互にオン／オフ制御される。また、アンプ４８は動作しない。よって、この場合、制御回路４０は、制御信号cont１および制御信号cont２として、それぞれ、制御信号cont３に対応する信号を出力する。この結果、図１に示すトランジスタＭ１、Ｍ２は、電力回路１０が負荷２００の要求する電圧を生成するように制御される。
【００３２】
入力電圧Ｖinが第１の閾値を越えると、第１の過電圧判定信号comp_OUT11が「Ｈ」となる。また、入力電圧Ｖinが第３の閾値以下であるものとすると、第３の過電圧判定信号comp_OUT33が「Ｌ」である。この場合、トランジスタＭ４はオフ状態となり、トランジスタＭ５はオン状態となるので、出力端子OUT１および出力端子OUT２は、「Ｌ」になる。よって、トランジスタＭ１およびＭ２は、それぞれ制御信号cont１および制御信号cont２として「Ｌ」が与えられるので、いずれもオフ状態に制御されることになる。この結果、トランスＴの一次側を流れる電流が大幅に減少する。
【００３３】
入力電圧Ｖinが第３の閾値を越えると、第１の過電圧判定信号comp_OUT11および第３の過電圧判定信号comp_OUT33はいずれも「Ｈ」になる。そうすると、トランジスタＭ４、Ｍ５がいずれもオフ状態となり、出力端子OUT１および出力端子OUT２はハイインピーダンス状態になる。また、第３の過電圧判定信号comp_OUT33が「Ｈ」になると、アンプ４８は、電圧Ｖk と検出電圧Ｖh との誤差をゼロにするための誤差信号を生成し、その誤差信号が制御信号cont１、cont２として出力される。
【００３４】
このようにして生成される制御信号cont１、cont２が与えられると、トランジスタＭ１、Ｍ２は、検出電圧Ｖh を電圧Ｖk に一致させるように動作する。ここで、上述した関係式（１）を考慮すると、トランジスタＭ１、Ｍ２は、入力電圧Ｖinを「Ｖk ×｛（Ｒ１＋Ｒ２）／Ｒ２｝」に一致させるように動作することになる。即ち、入力電圧Ｖinは、所定のクランプ電圧「Ｖk ×｛（Ｒ１＋Ｒ２）／Ｒ２｝」に保持される。ここで、例えば、「Ｖk ＝３ボルト」および「Ｒ１＝Ｒ２」であるものとすると、クランプ電圧は６ボルトになる。
【００３５】
このように、電源装置１においては、入力電圧Ｖinが第１の閾値を越えると、トランジスタＭ１、Ｍ２がオフ状態に制御されてトランスＴの一次側の電流が減少し、さらに第２の閾値を超えると、リレー１１１がオフ状態に制御されて過電圧が回避される。このとき、リレー１１１を介して流れる電流が十分に減少した後にリレー接点が解放されるので、その接点が溶着することはない。
【００３６】
また、入力電圧Ｖinが急激に上昇してリレー１１１が実際にオフされる前に第３の閾値を越えると、その入力電圧Ｖinが予め決められているクランプ電圧に一致するようにトランジスタＭ１、Ｍ２が制御される。ここで、クランプ電圧として、トランジスタＭ１、Ｍ２、制御ＩＣ３０、入力コンデンサＣ１の耐圧よりも低い値を設定すれば、過電圧から各回路素子保護を保護することができる。換言すれば、適切なクランプ電圧を設定すれば、各回路素子の耐圧を低くすることが出来る。
【００３７】
なお、上述の実施例では、電源装置の一例としてＤＣ／ＤＣコンバータを示したが、本発明はこれに限定されるものではない。すなわち、本発明は、スイッチング素子を利用して出力を制御する電力回路に適用可能である。
【図面の簡単な説明】
【００３８】
【図１】本発明に係る過電圧保護機能付き電源装置の構成を示す図である。
【図２】制御ＩＣの中に設けられる比較回路の実施例である。
【図３】制御ＩＣの中に設けられる制御回路の実施例である。
【図４】過電圧保護機能を備えた従来の電源装置を示す図である。
【符号の説明】
【００３９】
１      電源装置
１０    電力回路
２０    入力電圧検出回路
３０    制御ＩＣ
３１    比較回路
３２〜３３  コンパレータ
４０    制御回路
１０１  入力端子
１０２  バッテリ
１１１  リレー
２００  負荷
【図１】
2006325286.tif 000003
【図２】
2006325286.tif 000004
【図３】
2006325286.tif 000005
【図４】
2006325286.tif 000006